(57)【要約】【課題】  ユーザーがデジタル放送受信機を使用しない時間帯に行われる番組情報の取得を短時間かつ、効率的に行うことを目的とする。【解決手段】  セグメント毎に番組情報１１２を取得した取得時刻情報２０５を記録する番組情報取得時刻テーブル２０１を作成、管理する。電源ＯＦＦ後の自動番組情報取得時に番組情報取得時刻テーブル２０１の情報を参照し、選局要否、選局優先順位を決定し、選局優先順位テーブル３０９を作成する。番組情報処理部１０３は、作成した選局優先順位テーブル３０９の情報に従って選局を行い、番組情報を取得する。記憶部１０５から蓄積部１０９へ保存する際に、両方の記憶領域に保存されている新旧番組情報取得時刻テーブル情報を比較し、取得時間が異なるセグメントの番組情報のみ蓄積部１０９への保存を行う。【選択図】        図１
2005051615.tif 000002
【特許請求の範囲】
【請求項１】
複数の放送局から番組の内容に関係する番組情報を含んだ情報を複数受信する受信部と、
前記受信部が受信した情報に含まれる複数の番組情報とともに各番組情報を取得した取得時刻に関する情報を複数の番組情報に対応させて記憶する記憶部と、
前記記憶部が記憶した複数の取得時刻に関する情報に基づいて、所定の要件により、複数の番組情報を受信する放送局の優先順位を決定する番組情報処理部と、
前記番組情報処理部が決定した放送局の優先順位を放送局毎に記憶する選局優先順位テーブルと、
前記選局優先順位テーブルが放送局毎に記憶した放送局の優先順位に従って、情報を受信する放送局を選局する選局管理部とを備える受信機。
【請求項２】
前記受信部は、番組情報と番組情報の放送時間情報とを含んだ情報を複数受信し、
前記番組情報処理部は、前記受信部によって受信された各番組情報の放送時間情報に基づいて、１日を所定の時間帯に分割した１または複数のセグメントに各番組情報を分割し、
前記選局優先順位テーブルは、各番組情報を放送する放送局毎に、前記番組情報処理部によって分割された番組情報のセグメントを取得対象セグメントとして記憶し、
前記受信部は、前記選局管理部によって選局された放送局に対応する取得対象セグメントを前記選局優先順位テーブルから取得し、番組情報の取得対象セグメントに関する部分の情報を前記選局した放送局から受信する請求項１に記載された受信機。
【請求項３】
前記番組情報処理部は、前記受信部によって前記番組情報の取得対象セグメントの情報が受信された場合には、受信された取得対象セグメントを選局優先順位テーブルから削除する請求項２に記載された受信機。
【請求項４】
前記選局優先順位テーブルは、現在時刻を基準として任意のセグメントの範囲を特定し、前記選局管理部によって選局された放送局に対応する取得対象セグメントが特定した任意のセグメントの範囲に属する場合には、番組情報の前記取得対象セグメントに関する部分の情報を優先して受信するように放送局の優先順位を決定する請求項２に記載された受信機。
【請求項５】
前記受信機は、さらに、
前記受信部が前回以前に複数の放送局から受信した複数の番組情報と複数の取得時刻に関する情報とを記憶する蓄積部と、
前記記憶部が記憶した複数の番組情報と複数の取得時刻に関する情報とから、前記蓄積部が記憶した複数の番組情報と複数の取得時刻に関する情報とを更新するメモリ管理部とを備える請求項１に記載された受信機。
【請求項６】
複数の放送局から番組の内容に関係する番組情報を含んだ情報を複数受信し、
前記受信した複数の情報から複数の番組情報を取得し、
前記取得した複数の番組情報とともに各番組情報を取得した取得時刻に関する情報を複数の番組情報に対応させて記憶部に記憶し、
前記記憶部に記憶した複数の取得時刻に関する情報に基づいて、所定の要件により、複数の番組情報を受信する放送局の優先順位を決定し、決定した放送局毎の優先順位を選局優先順位テーブルに記憶し、
前記選局優先順位テーブルに記憶した放送局毎の優先順位に従って、情報を受信する放送局を選局する受信制御方法。
【請求項７】
複数の放送局から番組の内容に関係する番組情報を含んだ情報を複数受信する処理と、
前記受信した複数の情報から複数の番組情報を取得する処理と、
前記取得した複数の番組情報とともに各番組情報を取得した取得時刻に関する情報を複数の番組情報に対応させて記憶部に記憶する処理と、
前記記憶部に記憶した複数の取得時刻に関する情報に基づいて、所定の要件により、複数の番組情報を受信する放送局の優先順位を決定し、決定した放送局毎の優先順位を選局優先順位テーブルに記憶する処理と、
前記選局優先順位テーブルに記憶した放送局毎の優先順位に従って、情報を受信する放送局を選局する処理とをコンピュータに実行させる受信制御プログラム。
【発明の詳細な説明】
【技術分野】
【０００１】
本発明は、デジタル放送電波を受信し、映像・音声・番組情報を表示するデジタル放送受信機の番組情報取得、蓄積方法に関するものである。
【背景技術】
【０００２】
従来のデジタル放送の放送電波には、映像・音声の情報以外にＥＩＴ（Ｅｖｅｎｔ  Ｉｎｆｏｒｍａｔｉｏｎ  Ｔａｂｌｅ）と呼ばれる番組情報が付加され、送出される。ＥＩＴはセグメントと呼ばれる３時間単位の情報となっており、運用上最大３２日分の情報を送出可能である。ＢＳデジタル放送や１１０度ＣＳデジタル放送におけるＥＩＴは受信している事業者とは異なる他の事業者のＥＩＴもＥＩＴ［ｏｔｈｅｒ］という形式で送出されるため、取得することが可能であったが、地上デジタル放送においてはＥＩＴ［ｏｔｈｅｒ］が運用されないため、ユーザーが受信機の電源をＯＦＦにしている時に受信可能な全ての放送局の選局を行って、番組情報の取得／蓄積を行うとの規定が「「地上デジタルテレビジョン放送運用規定技術資料」第一分冊」に記載されている（例えば、非特許文献１参照）。
【非特許文献１】社団法人  電波産業会発行、「地上デジタルテレビジョン放送運用規定技術資料１．２版」、第一分冊第二編「地上デジタルテレビジョン受信機機能仕様」、２００２年１１月２７日発行、ｐ．２４
【発明の開示】
【発明が解決しようとする課題】
【０００３】
受信機の機能仕様にて記載されている電源ＯＦＦ時の番組情報取得を実現する最も一般的な方法としては、取得対象の放送局を特定の順番で選局し、一定時間選局状態を保持し、出来る限り番組情報を取得した後、次の放送局を選局していく方法である。
【０００４】
しかし、この方法では、例えば、取得中にユーザーが電源をＯＮにして、またＯＦＦにするともう一度最初から番組情報の取得処理を開始するため、取得完了までに時間がかかり、順番が最後の方にある放送局の番組情報が取得し難くなる。
【０００５】
また、ユーザーが通常視聴しているときにも番組情報の取得を行っているため、比較的新しい番組情報が受信機に蓄積されているにも拘らず再度取得処理を行ってしまう可能性があり、効率が悪い。
【０００６】
更に、取得した番組情報を一時保存領域から不揮発性の保存領域へ転送する際に、全ての番組情報を無条件に書き込んでしまうと、書き込み時間がかかり、また、書き込み回数も増加してしまうため、記憶領域の寿命が縮まってしまうという問題がある。
【０００７】
本発明は上記のような問題点を解消するためになされたもので、ユーザーがデジタル放送受信機を使用しない時間帯に行われる番組情報の取得を短時間かつ、効率的に行うことを目的とする。
【課題を解決するための手段】
【０００８】
上記目的を達成するため、本発明に係る受信機は、
複数の放送局から番組の内容に関係する番組情報を含んだ情報を複数受信する受信部と、
前記受信部が受信した複数の情報から複数の番組情報を取得する番組情報処理部と、
前記番組情報処理部が取得した複数の番組情報とともに各番組情報を取得した取得時刻に関する情報を複数の番組情報に対応させて記憶する記憶部と、
前記記憶部が記憶した複数の取得時刻に関する情報に基づいて、所定の要件により、複数の番組情報を受信する放送局の優先順位を決定し、決定した優先順位を放送局毎に記憶する選局優先順位テーブルと、
前記選局優先順位テーブルが放送局毎に記憶した優先順位に従って、情報を受信する放送局を選局する選局管理部とを備える。
【発明の効果】
【０００９】
放送局から送信される番組情報の取得を短時間かつ、効率的に行うことができる。
【発明を実施するための最良の形態】
【００１０】
実施の形態１．
以下、この発明の実施の形態１を図を用いて説明する。
【００１１】
図１において、デジタル放送受信機１０１は、デジタル放送の放送電波（デジタル放送電波１１１）を受信し、デジタル放送電波１１１から番組情報１１２を分離する受信部１０２と、受信部１０２から番組情報１１２を取得し、取得した番組情報１１２を管理する番組情報処理部１０３と、番組情報１１２を取得した取得時刻について管理する時刻管理部１０４と、番組情報処理部１０３がテンポラリに使用するワーキング領域である記憶部１０５と、電源のＯＮ、ＯＦＦを管理する電源管理部１０６と、受信部１０２に対し選局を指示する選局管理部１０７と、蓄積部１０９に保存する保存データを管理するメモリ管理部１０８と、番組情報取得時刻テーブル２０１の各情報を蓄積する蓄積部１０９と、番組情報処理部１０３が決定した放送局の優先順位を放送局毎に記憶する選局優先順位テーブル３０９とから構成される。
【００１２】
デジタル放送受信機１０１は、受信機に相当する。
【００１３】
記憶部１０５はデジタル放送受信機１０１の電源がＯＮの間、記憶されたデータを保持することができるデータの一時記憶領域である。記憶部１０５の一例としては、例えば、揮発性メモリを用いたキャッシュメモリが挙げられる。
【００１４】
蓄積部１０９はデジタル放送受信機１０１が電源ＯＦＦの間もデータを保持する部である。蓄積部１０９の一例としては、例えば、電源ＯＦＦの間もデータを保持することができる不揮発性メモリが挙げられる。
【００１５】
また、図１において、１１１はデジタル放送電波、１１２は受信部１０２で分離された番組情報、１１３は現在時刻取得要求、１１４は現在時刻取得応答、１１５は受信部１０２が取得した番組情報１１２と記憶部１０５に一時記憶した番組情報取得時刻テーブルのアクセス要求、１１６はユーザーからの電源ＯＦＦ要求、１１７は番組情報取得開始要求、１１８は選局管理部１０７に対する選局要求、１１９は受信部１０２に対する選局要求、１２０は番組情報取得応答、１２１は書き込み開始要求、１２２は蓄積部１０９に保存されている番組情報取得時刻テーブル２０１の読出し、１２３は更新された番組情報と番組情報取得時刻テーブル２０１の書込みを表す。
【００１６】
まず、ユーザーが通常の番組視聴を行っている場合における番組情報１１２の受信、記憶部１０５への保存動作について説明する。
【００１７】
受信部１０２は、外部に接続されたアンテナよりデジタル放送電波１１１を受信し、デジタル放送電波１１１より映像、音声、番組情報１１２等を分離し、分離した番組情報１１２を番組情報処理部１０３へ受け渡す。
【００１８】
番組情報処理部１０３は、時刻管理部１０４に対し、現在時刻取得要求１１３を送信し、時刻管理部１０４が返す現在時刻取得応答１１４に含まれる現在時刻（番組情報の取得時刻）を取得する。
【００１９】
番組情報取得時刻テーブル２０１は、蓄積部１０９に蓄積され、番組情報処理部１０３がデジタル放送受信機１０１の起動時に蓄積部１０９からロードし、記憶部１０５に一時記憶テーブル５００として一時記憶して管理している。
【００２０】
番組情報取得時刻テーブル２０１の構成を図２に示す。
【００２１】
番組情報処理部１０３は、現在時刻（番組情報の取得時刻）に基づいて、図２に示す番組情報取得時刻テーブル２０１を記憶部１０５に記憶した一時記憶テーブル５００（番組情報取得時刻テーブル２０１と様式は同じ）の該当する放送日２０２、放送時間帯である３時間毎のセグメント２０３、放送局２０４を検索し、該当する取得時刻情報記憶欄の取得時刻情報２０５を更新する。
【００２２】
なお、上記では、取得時刻に関する情報として、図２に示すように取得時刻情報２０５を取得時刻情報記憶欄に保存した。ここで、取得時刻情報２０５には現在時刻として「年月日時分」を用いたが、取得時刻に関する情報はこれに限られず、例えば、「年月日時分秒」でもよく、また、取得時刻に関する情報として取得時刻自身を保存することなく、該当する放送日２０２の該当セグメント２０３、該当放送局２０４の取得時刻情報記憶欄にフラグを立てる等の方法を用いてもよい。
【００２３】
また、セグメントは１日を所定の時間帯に分割したものであればよく、３時間毎に分割されていなくてもよい。たとえば、夜中は長い時間帯を１セグメントとし、ゴールデンタイムは短い時間帯を１セグメントとしてもよい。
【００２４】
一時記憶テーブル５００中に受信した番組情報１１２に記述された放送日２０２に対応するテーブル部分が存在しない場合、番組情報処理部１０３は一時記憶テーブル５００中に受信した番組情報１１２に記述された放送日２０２に対応するテーブル部分を新規に作成し、該当する取得時刻欄に取得時刻情報２０５を記憶する。
【００２５】
このように、番組情報処理部１０３は、受信部１０２から取得した番組情報１１２と、現在時刻取得応答１１４によって時刻管理部１０４から取得した取得時刻から一時記憶テーブル５００を更新または作成し、記憶部１０５に保存する。
【００２６】
次に、ユーザーがデジタル放送受信機１０１を使用していない場合の番組情報取得動作について説明する。
【００２７】
電源管理部１０６はユーザーからのリモコン操作や機器本体（デジタル放送受信機１０１本体）による電源ＯＦＦ要求１１６を受信した場合、番組情報取得開始要求１１７を番組情報処理部１０３へ送信する。
【００２８】
番組情報処理部１０３は、記憶部１０５に保存された一時記憶テーブル５００を参照し、選局優先順位テーブル３０９を作成する。
【００２９】
選局優先順位テーブル３０９に記憶された情報の例を図３に示す。なお、選局優先順位テーブル３０９の作成方法については後述する。
【００３０】
番組情報処理部１０３は、作成した選局優先順位テーブル３０９の内容に従って放送局の優先順位３０１の上位の放送局３０２から選局要求１１８を作成し、選局管理部１０７に送信する。例えば、図３によれば、番組情報処理部１０３は、最初に放送局３（Ｂ３）を選局する選局要求１１８を作成する。
【００３１】
選局管理部１０７は受信した選局要求１１８に実際の選局に必要な情報を付加し、受信部１０２に選局要求１１９を送信する。
【００３２】
受信部１０２は、選局要求１１９に従って、指定された放送局を選局し、デジタル放送電波１１１を受信し続ける。番組情報１１２を受信した場合は、番組情報処理部１０３への受け渡しを行う。
【００３３】
番組情報処理部１０３は、受信した番組情報１１２に基づいて、通常時と同様に記憶部１０５にロードした一時記憶テーブル５００を更新し、記憶部１０５への保存を行う。
【００３４】
更に、取得した番組情報１１２のセグメントが選局優先順位テーブル３０９の取得対象セグメント３０３と一致した場合、番組情報処理部１０３は、そのセグメントの番号を選局優先順位テーブル３０９の取得対象セグメント３０３から削除する。
【００３５】
現在実行中順位の全ての取得対象セグメント３０３が削除された場合、またはあらかじめ規定した時間を経過した場合に取得終了とし、番組情報処理部１０３は、次の放送局を指定した選局要求１１８を選局管理部１０７に送信する。
【００３６】
番組情報処理部１０３は、選局優先順位テーブル３０９の内容を全て実行した場合、電源管理部１０６に対し、番組情報取得応答１２０を送信し、番組情報取得処理を完了する。
【００３７】
次に、記憶部１０５に記録された番組情報を蓄積部１０９に保存する動作を説明する。
【００３８】
電源管理部１０６は、番組情報処理部１０３より番組情報取得応答１２０を受信後、メモリ管理部１０８に対し、書き込み開始要求１２１を送信する。
【００３９】
メモリ管理部１０８は、記憶部１０５に記憶された、新規に取得した番組情報１１２と、その情報を記憶部１０５に記録した一時記憶テーブル５００を取得する。
【００４０】
次いで、メモリ管理部１０８は、蓄積部１０９から前回以前の番組情報取得時に保存された番組情報取得時刻テーブル２０１を取得する。
【００４１】
次いでメモリ管理部１０８は、記憶部１０５、蓄積部１０９から取得した２つのテーブル（一時記憶テーブル５００及び番組情報取得時刻テーブル２０１）の比較を行い、取得時刻の異なるセグメントの番組情報と、その情報が記憶部１０５に記録され、更新された一時記憶テーブル５００の情報のみ蓄積部１０９へ保存する。
【００４２】
次に、番組情報処理部１０３が番組情報取得開始要求１１７の受信時に行う、選局優先順位テーブル３０９の作成処理動作について説明する。
【００４３】
図４は選局優先順位テーブル３０９の作成処理動作を示すフローチャートである。
【００４４】
最初に、番組情報処理部１０３は、時刻管理部１０４より現在時刻（番組情報の取得時刻）を取得し、現在の時刻におけるセグメントの位置を表すＳｐを決定する（ｆ４０１）。
【００４５】
次いで、番組情報処理部１０３は、検索セグメントの範囲（Ｓｍｉｎ〜Ｓｍａｘ）を指定する（ｆ４０２）。この処理は、一般的に現在時刻に近い番組情報程使用頻度が高く、情報の正確性も求められるため、取得優先順位を高く設定するための処理である。本実施例においては現在時刻より９時間分（３セグメント分）、２日分（１６セグメント分）、８日分（６４セグメント分）の順番に設定している。
【００４６】
次いで、番組情報処理部１０３は、検索対象となる放送局を一時記憶テーブル５００の放送局２０４欄の放送局Ｂ１〜ＢＮの順番に指定する（ｆ４０３）。
【００４７】
次いで、番組情報処理部１０３は、番組情報の取得時刻を参照するセグメントを検索セグメントの範囲（Ｓｍｉｎ〜Ｓｍａｘ）に従って指定する（ｆ４０４）。
【００４８】
その後、番組情報処理部１０３は、当該セグメントが未取得または、あらかじめ設定された取得後経過時刻を超過しているかチェックする（ｆ４０５）。
【００４９】
ｆ４０５のチェックに該当するセグメントは再取得の必要があるため、番組情報処理部１０３は、取得対象セグメント総数Ｓｓｕｍに１を足し、セグメント番号を保存する（ｆ４０６）。
【００５０】
次いで、番組情報処理部１０３は、ｆ４０４からｆ４０６の処理を繰り返し、検索セグメント範囲のチェックを終了する（ｆ４０７）。
【００５１】
次いで、番組情報処理部１０３は、ｆ４０３からｆ４０７までの処理を繰り返し、全放送局のチェックを終了する（ｆ４０８）。
【００５２】
次いで、番組情報処理部１０３は、放送局毎の取得対象セグメント総数Ｓｓｕｍを比較し、値の大きいものから選局優先順位テーブル３０９の優先順位３０１の上位に放送局３０２と、保存している再取得セグメント（取得対象セグメント３０３）を設定する（ｆ４０９）。このとき、取得対象セグメント総数が０の場合は選局優先順位テーブル３０９への設定は行わない。
【００５３】
次いで、番組情報処理部１０３は、ｆ４０４からｆ４０９までの処理を繰り返し、選局優先順位テーブル３０９の作成を完了する（ｆ４１０）。
【００５４】
以上、番組情報１１２を含むデジタル放送電波１１１を受信し、デジタル放送電波１１１から分離された番組情報１１２を蓄積し、その情報を番組説明や番組表の形式で表示する機能を有するデジタル放送受信機１０１であって、各チャンネルの一定時間単位（セグメント２０３）の番組情報１１２の取得時刻情報２０５を一元管理する蓄積部１０９と、番組情報取得時に取得時刻情報２０５を一時記憶テーブル５００に登録する記憶部１０５と、ユーザーが視聴していない時間帯に自動的に各放送局の番組情報１１２を取得する機能において、前回取得時刻を参照し、取得要否の判断や取得優先順位付けを行う番組情報処理部１０３と、決定された優先順位に従ったチャンネル選局を行う選局管理部１０７と、番組情報１１２の取得を行う受信部１０２とを備えたことを特徴とするデジタル放送受信機１０１について説明した。
【００５５】
また、番組情報処理部１０３が前記番組情報取得優先順位付けを行う手段において、放送が行われる時間帯、現在時刻と前回取得時刻の差を判断基準として取得順序を決定するステップをもつことを特徴とする優先順位決定方式について説明した。
【００５６】
また、番組情報１１２を含むデジタル放送電波１１１を受信し、デジタル放送電波１１１から分離された番組情報１１２を蓄積し、その情報を番組説明や番組表の形式で表示する機能を有するデジタル放送受信機１０１であって、記憶部１０５に取得した一時記憶テーブル５００中の番組情報１１２の取得時刻情報２０５と蓄積部１０９に保存済みの番組情報取得時刻テーブル２０１中の同一チャンネルかつ同一時間帯の番組情報１１２の取得時刻情報２０５とを比較し、書き込み要否の判定を行う番組情報処理部１０３と、書き込みの必要のある番組情報１１２を蓄積部１０９へ書き込みを行うメモリ管理部１０８とを備えたことを特徴とするデジタル放送受信機１０１について説明した。
【００５７】
本実施の形態のデジタル放送受信機１０１によれば、デジタル放送受信機１０１の電源ＯＦＦ後に行う番組情報取得にかかる時間を短縮することができる。
【００５８】
また、取得している途中でユーザーが視聴を開始したとしても、使用頻度の高い情報から優先的に取得しているので、番組情報１１２を閲覧できないという不利益を与える可能性を低減できるという効果が得られる。
【００５９】
図５は、デジタル放送受信機１０１のコンピュータ基本構成図である。
【００６０】
図５において、プログラムを実行するＣＰＵ４０は、バス３８を介してモニタ４１、キーボード４２、マウス４３、通信ポート４４、磁気ディスク装置４６等と接続されている。
【００６１】
磁気ディスク装置４６には、ＯＳ４７、プログラム群４９、ファイル群５０が記憶されている。ただし、プログラム群４９、ファイル群５０が一体となってオブジェクト指向のプログラム群４９を形成する形態も一実施の形態として考えられる。例えば、プログラム群４９には、番組情報処理部１０３、メモリ管理部１０８等の機能を実現するためのプログラムが格納され、プログラム群４９に格納されたプログラムは、任意のタイミングでＣＰＵ４０、ＯＳ４７により実行される。
【００６２】
上記各実施の形態では、デジタル放送受信機１０１は、通信ポート４４の機能を使用して、放送局から番組情報１１２等を受信する。
【００６３】
以上に記載した「格納する」、「蓄積する」、「登録する」、「記憶する」という用語は、記憶部１０５または蓄積部１０９または選局優先順位テーブル３０９のいずれかの記録媒体に保存することを意味する。
【００６４】
番組情報処理部１０３、メモリ管理部１０８等の各部が行う動作は、Ｈ／Ｗのみでも実施でき、Ｓ／Ｗのみでも実施でき、Ｈ／ＷとＳ／Ｗを組み合わせても実施することができる。
【００６５】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
【００６６】
また、上記各構成要素の動作を、各構成要素の処理と置き換えることにより、プログラムの実施の形態とすることができる。
【００６７】
また、プログラムを、プログラムを記録したコンピュータ読み取り可能な記録媒体に記憶させることで、プログラムに記録したコンピュータ読み取り可能な記録媒体の実施の形態とすることができる。
【００６８】
従って、受信制御プログラムの実施の形態は、
複数の放送局から番組の内容に関係する番組情報を含んだ情報を複数受信する処理と、
前記受信した複数の情報から複数の番組情報を取得する処理と、
前記取得した複数の番組情報とともに各番組情報を取得した取得時刻に関する情報を複数の番組情報に対応させて記憶部に記憶する処理と、
前記記憶部に記憶した複数の取得時刻に関する情報に基づいて、所定の要件により、複数の番組情報を受信する放送局の優先順位を決定し、決定した放送局毎の優先順位を選局優先順位テーブルに記憶する処理と、
前記選局優先順位テーブルに記憶した放送局毎の優先順位に従って、情報を受信する放送局を選局する処理とをコンピュータに実行させるための受信制御プログラムを記録したコンピュータ読み取り可能な記録媒体、というように、受信制御プログラムに記録したコンピュータ読み取り可能な記録媒体の実施の形態とすることができる。
【００６９】
プログラムの実施の形態及びプログラムに記録したコンピュータ読み取り可能な記録媒体の実施の形態は、すべてコンピュータで動作可能なプログラムにより構成することができる。
【００７０】
プログラムの実施の形態およびプログラムを記録したコンピュータ読み取り可能な記録媒体の実施の形態における各処理はプログラムで実行されるが、このプログラムは、記録装置に記録されていて、記録装置から中央処理装置（ＣＰＵ）に読み込まれ、中央処理装置によって、各プログラムが実行されることになる。
【００７１】
また、各実施の形態のソフトウェアやプログラムは、ＲＯＭ（ＲＥＡＤ  ＯＮＬＹ  ＭＥＭＯＲＹ）に記憶されたファームウェアで実現されていても構わない。あるいは、ソフトウェアとファームウェアとハードウェアとの組み合わせで前述したプログラムの各機能を実現しても構わない。
【図面の簡単な説明】
【００７２】
【図１】この発明の実施の形態１によるデジタル放送受信装置の構成を示すブロック図である。
【図２】番組情報処理部１０３が管理する番組情報取得時刻テーブル情報の例を示す。
【図３】番組情報処理部１０３が作成する選局優先順位テーブル情報の例を示す。
【図４】番組情報処理部１０３が選局優先順位テーブル３０９を作成する手順を示すフローチャートである。
【図５】デジタル放送受信機１０１のコンピュータ基本構成図である。
【符号の説明】
【００７３】
３０  取得対象セグメント、３８  バス、４０  ＣＰＵ、４１  モニタ、４２  キーボード、４３  マウス、４４  通信ポート、４６  磁気ディスク装置、４７  ＯＳ、４９  プログラム群、５０  ファイル群、１０１  デジタル放送受信機、１０２  受信部、１０３  番組情報処理部、１０４  時刻管理部、１０５  記憶部、１０６  電源管理部、１０７  選局管理部、１０８  メモリ管理部、１０９  蓄積部、２０１  番組情報取得時刻テーブル、２０２  放送日、２０３  セグメント、２０４，３０２  放送局、２０５  取得時刻情報、３０１  優先順位、３０３  取得対象セグメント、３０９  選局優先順位テーブル、５００  一時記憶テーブル。
【図１】
2005051615.tif 000003
【図２】
2005051615.tif 000004
【図３】
2005051615.tif 000005
【図４】
2005051615.tif 000006
【図５】
2005051615.tif 000007